(57)【要約】      （修正有）【課題】小さな寸法で、高い耐腐食性を有するコネクタを提供する。【解決手段】複数のコンタクトスロット１２１〜１２９が形成された絶縁本体１２０と、複数のコンタクトスロット１２１〜１２９に受容された複数のコンタクト１１１〜１１９と、絶縁本体１２０の外部を囲むシールド１３０とを具備する。複数のコンタクト１１１〜１１９は、第１データ伝送標準信号を伝送するための第１コンタクト群１１３〜１１７と、第２データ伝送標準信号を伝送するための第２コンタクト群１１１，１１２，１１８，１１９とからなる。第２コンタクト群１１１，１１２，１１８，１１９は、第１の差動信号コンタクト対１１１，１１２と、第２の差動信号コンタクト対１１８，１１９とからなる。複数のコンタクト１１１〜１１９は１列に配置される。第１の差動信号コンタクト対１１１，１１２及び第２の差動信号コンタクト対１１８，１１９は、第１コンタクト群１１３〜１１７の両側にそれぞれ配置される。【選択図】図２
0003186808.tif 000002
【実用新案登録請求の範囲】
【請求項１】
複数のコンタクトスロット（１２１〜１２９）が形成された絶縁本体（１２０）と、前記複数のコンタクトスロットに受容された複数のコンタクト（１１１〜１１９）と、前記絶縁本体の外部を囲むシールド（１３０）とを具備するコネクタであって、
前記複数のコンタクトは、第１データ伝送標準信号を伝送するための第１コンタクト群（１１３〜１１７）と、第２データ伝送標準信号を伝送するための第２コンタクト群（１１１，１１２，１１８，１１９）とからなり、
前記第２コンタクト群は、第１の差動信号コンタクト対（１１１，１１２）と、第２の差動信号コンタクト対（１１８，１１９）とからなり、
前記複数のコンタクトは１列に配置され、
前記第１の差動信号コンタクト対及び前記第２の差動信号コンタクト対は、前記第１コンタクト群の両側にそれぞれ配置されることを特徴とするコネクタ。
【請求項２】
前記第１データ伝送標準信号はマイクロＵＳＢ信号であり、
前記第２データ伝送標準信号はＵＳＢ３．０信号であることを特徴とする請求項１記載のコネクタ。
【請求項３】
前記第１コンタクト群は、前記コネクタに電力を供給するための電力コンタクト（１１３）、マイクロＵＳＢ信号を伝送するための第３の差動信号コンタクト（１１４，１１５）、前記コネクタの使用状態を検出するための状態検出コンタクト（１１６）、及び接地コンタクト（１１７）を具備することを特徴とする請求項２記載のコネクタ。
【請求項４】
前記第１コンタクト群の全てのコンタクトは第１長さを有し、
前記第２コンタクト群の全てのコンタクトは前記第１長さと異なる第２長さを有することを特徴とする請求項３記載のコネクタ。
【請求項５】
前記第１長さは前記第２長さより長いことを特徴とする請求項４記載のコネクタ。
【請求項６】
前記絶縁本体は、前記複数のコンタクト上に成形されることを特徴とする請求項５記載のコネクタ。
【請求項７】
前記絶縁本体の成形前及び成形中に、前記第１コンタクト群の互いに隣接するコンタクトが架橋部（１３４，１４５，１５６，１６７）により接続され、
前記絶縁本体が成形された後、前記第１コンタクト群の互いに隣接するコンタクトが電気的に絶縁されるように、前記架橋部は除去されることを特徴とする請求項６記載のコネクタ。
【請求項８】
前記架橋部の周囲の領域は、前記絶縁本体により覆われることを特徴とする請求項７記載のコネクタ。
【請求項９】
前記第１コンタクト群の各コンタクトは、前記絶縁本体の外部に露出する接触部と、前記絶縁本体に覆われる非接触部とを具備し、
前記架橋部は、前記第１コンタクト群の互いに隣接するコンタクトの前記非接触部間に形成されることを特徴とする請求項８記載のコネクタ。
【請求項１０】
前記第１コンタクト群の前記非接触部に位置する前記絶縁本体の一部には、前記架橋部を露出する開口（２３４，２４５，２５６，２６７）が形成され、その結果、前記架橋部は前記開口を通して除去されることを特徴とする請求項９記載のコネクタ。
【請求項１１】
互いに隣接する前記架橋部は、前記複数のコンタクトの長さ方向に沿って所定距離で千鳥配列されていることを特徴とする請求項９記載のコネクタ。
【請求項１２】
前記複数のコンタクトは各々、相手コネクタと電気接触するよう前記絶縁本体の外部に露出する接触部（１１１ａ〜１１９ａ）を具備し、
前記複数のコンタクトの全ての前記接触部は、ほぼ同一平面内に配置されることを特徴とする請求項９記載のコネクタ。
【請求項１３】
前記コネクタはリセプタクルコネクタであり、
前記相手コネクタはプラグコネクタであることを特徴とする請求項１２記載のコネクタ。
【請求項１４】
前記相手コネクタは、前記コネクタの前記複数のコンタクトにそれぞれ対応する複数の相手コンタクトを具備し、
前記複数の相手コンタクトは、第１データ伝送標準信号を伝送するための第１相手コンタクト群（２１３〜２１７）と、第２データ伝送標準信号を伝送するための第２相手コンタクト群とからなり、
前記第２相手コンタクト群は、第１の差動信号相手コンタクト対（２１１，２１２）と、第２の差動信号相手コンタクト対（２１８，２１９）とからなり、
前記複数の相手コンタクトは１列に配置され、
前記第１の差動信号相手コンタクト対及び前記第２の差動信号相手コンタクト対は、前記第１相手コンタクト群の両側にそれぞれ配置されることを特徴とする請求項１３記載のコネクタ。
【請求項１５】
前記第１相手コンタクト群の全ての相手コンタクトは第３長さを有し、
前記第２相手コンタクト群の全ての相手コンタクトは前記第３長さより長い第４長さを有することを特徴とする請求項１４記載のコネクタ。
【考案の詳細な説明】
【技術分野】
【０００１】
本考案は、コネクタに関し、特にマイクロＵＳＢ（ユニバーサル・シリアル・バス）及びＵＳＢ３．０と互換性のある混合タイプのＵＳＢコネクタに関する。
【背景技術】
【０００２】
マイクロＵＳＢ（例えばマイクロＵＳＢ２．０）及びＵＳＢ３．０と互換性のある従来の混合タイプのＵＳＢコネクタには、マイクロＵＳＢ用及びＵＳＢ３．０用の２個の独立したポートが設けられているのが一般的である。
【０００３】
従来の混合タイプのＵＳＢコネクタは互いに分離した２個の独立したポートを有するので、従来の混合タイプのＵＳＢコネクタの全体寸法は、従来のＵＳＢコネクタのほぼ２倍である。従って、従来の混合タイプのＵＳＢコネクタは、その寸法が大き過ぎることによりコスト高となる。
【０００４】
マイクロＵＳＢ用に用いられる従来の混合タイプのＵＳＢコネクタのポートは、５個のコンタクトを具備する。これら５個のコンタクトは、マイクロＵＳＢ信号を伝送するための１対の差動信号コンタクト、コネクタに電力を供給するための電力コンタクト、接地コンタクト、及び状態検出コンタクトからなる。ＵＳＢ３．０用に用いられる従来の混合タイプのＵＳＢコネクタの別のポートは、ＵＳＢ３．０信号を伝送するための２対の差動信号コンタクトからなる４個のコンタクトを具備する。
【０００５】
また、従来の混合タイプのＵＳＢコネクタの製造の際、長いいくつかのコンタクトの位置の正確性を確保するために、隣接する長いコンタクトに接続してそれらの相対位置を保持するために、隣接する長いコンタクト間に架橋部が形成されることが多い。コンタクト上に絶縁本体が形成された後、これらの架橋部は切断され除去されなければならない。
【考案の概要】
【考案が解決しようとする課題】
【０００６】
しかし、従来技術において、これらの架橋部は、絶縁本体の外部に露出する長いコンタクトの電気接触部に形成される。これにより、架橋部が切断され除去された後、コンタクトに小さな切り口が残り、コンタクトの内部基材が外部に露出する。その結果、亜硝酸を用いたコンタクト電気接触部の耐腐食性の試験中に、架橋部を切断することにより腐食点が小さな切り口に形成され、次にコンタクトの電気接触部全体に徐々に拡がり、コンタクトの耐腐食性を減少させ、コンタクトの性能に悪影響を与える。
【０００７】
本考案は、上述した課題の少なくとも一側面を克服し又は軽減するために提供される。従って、小さな寸法でコネクタを提供できると有利であり、高い耐腐食性を有するコネクタを提供できると有利である。
【課題を解決するための手段】
【０００８】
本考案の一側面によれば、以下の構成のコネクタが提供される。すなわち、本考案のコネクタは、複数のコンタクトスロットが形成された絶縁本体と、複数のコンタクトスロットに受容された複数のコンタクトと、絶縁本体の外部を囲むシールドとを具備する。複数のコンタクトは、第１データ伝送標準信号を伝送するための第１コンタクト群と、第２データ伝送標準信号を伝送するための第２コンタクト群とからなる。第２コンタクト群は、第１の差動信号コンタクト対と、第２の差動信号コンタクト対とからなる。複数のコンタクトは１列に配置される。第１の差動信号コンタクト対及び第２の差動信号コンタクト対は、第１コンタクト群の両側にそれぞれ配置される。
【０００９】
本考案に係る典型的な一実施形態において、第１データ伝送標準信号はマイクロＵＳＢ信号であり、第２データ伝送標準信号はＵＳＢ３．０信号である。
【００１０】
本考案に係る別の典型的な実施形態において、第１コンタクト群は、コネクタに電力を供給するための電力コンタクト、マイクロＵＳＢ信号を伝送するための第３の差動信号コンタクト、コネクタの使用状態を検出するための状態検出コンタクト、及び接地コンタクトを具備する。
【００１１】
本考案に係る別の典型的な実施形態において、第１コンタクト群の全てのコンタクトは第１長さを有し、第２コンタクト群の全てのコンタクトは第１長さと異なる第２長さを有する。
【００１２】
本考案に係る別の典型的な実施形態において、第１長さは第２長さより長い。
【００１３】
本考案に係る別の典型的な実施形態において、絶縁本体は、複数のコンタクト上に成形される。
【００１４】
本考案に係る別の典型的な実施形態において、絶縁本体の成形前及び成形中に、第１コンタクト群の互いに隣接するコンタクトが架橋部により接続され、絶縁本体が成形された後、第１コンタクト群の互いに隣接するコンタクトが電気的に絶縁されるように、架橋部は除去される。
【００１５】
本考案に係る別の典型的な実施形態において、架橋部の周囲の領域は、絶縁本体により覆われる。
【００１６】
本考案に係る別の典型的な実施形態において、第１コンタクト群の各コンタクトは、絶縁本体の外部に露出する接触部と、絶縁本体に覆われる非接触部とを具備する。架橋部は、第１コンタクト群の互いに隣接するコンタクトの非接触部間に形成される。
【００１７】
本考案に係る別の典型的な実施形態において、第１コンタクト群の非接触部に位置する絶縁本体の一部には、架橋部を露出する開口が形成され、その結果、開口を通して架橋部を除去できる。
【００１８】
本考案に係る別の典型的な実施形態において、互いに隣接する架橋部は、複数のコンタクトの長さ方向に沿って所定距離ずれている。
【００１９】
本考案に係る別の典型的な実施形態において、複数のコンタクトは各々、相手コネクタと電気接触するよう絶縁本体の外部に露出する接触部を具備する。複数のコンタクトの全ての接触部は、ほぼ同一平面内に配置される。
【００２０】
本考案に係る別の典型的な実施形態において、コネクタはリセプタクルコネクタであり、相手コネクタはプラグコネクタである。
【００２１】
本考案に係る別の典型的な実施形態において、相手コネクタは、コネクタの複数のコンタクトにそれぞれ対応する複数の相手コンタクトを具備する。複数の相手コンタクトは、第１データ伝送標準信号を伝送するための第１相手コンタクト群と、第２データ伝送標準信号を伝送するための第２相手コンタクト群とからなる。第２相手コンタクト群は、第１の差動信号相手コンタクト対と、第２の差動信号相手コンタクト対とからなる。複数の相手コンタクトは１列に配置される。第１の差動信号相手コンタクト対及び第２の差動信号相手コンタクト対は、第１相手コンタクト群の両側にそれぞれ配置される。
【００２２】
本考案に係る別の典型的な実施形態において、第１相手コンタクト群の全ての相手コンタクトは第３長さを有し、第２相手コンタクト群の全ての相手コンタクトは第３長さより長い第４長さを有する。
【００２３】
本考案の様々な典型的な実施形態において、ＵＳＢ３．０用の２対の差動信号コンタクトは、従来のマイクロＵＳＢコネクタの両方の最外端にそれぞれ追加的に配置される。そして、ＵＳＢ３．０用の２対の差動信号コンタクト及び従来のマイクロＵＳＢコネクタの５個のコンタクトは、異なる２列に配置され且つ絶縁本体の異なる２個のポートに配置される代わりに、同一列に配列され且つ絶縁本体の同一ポートに配置される。従って、ＵＳＢ３．０用の追加のポートが省略され、コネクタの寸法が小さくなり、コネクタのコストが低減される。
【００２４】
本考案の上述の特徴及び他の特徴は、添付図面と参照して典型的な実施形態の以下の詳細な説明から明白であろう。
【図面の簡単な説明】
【００２５】
【図１】本考案の典型的な一実施形態に係るコネクタを示す斜視図である。
【図２】図１のコネクタの分解斜視図である。
【図３】シールドが除去され、コンタクト上に絶縁本体が成形され、互いに隣接する長いコンタクト間の架橋部はまだ切断、除去されていない状態の、図１のコネクタを示す斜視図である。
【図４】互いに隣接する長いコンタクト間の架橋部が切断され除去された状態の、図３のコネクタを示す斜視図である。
【図５】図１のコネクタと嵌合する相手コネクタを示す斜視図である。
【図６】シールドが除去され、コンタクトが絶縁本体上に配置されるが絶縁本体に成形又は組み込まれていない状態の、図５の相手コネクタを示す斜視図である。
【考案を実施するための形態】
【００２６】
以下、添付図面を参照して本考案の典型的な実施形態を詳細に説明する。同様の部材には同様の参照番号が付される。しかし、本考案は、異なる形態で実施することができ、本明細書で説明される実施形態に限定するものとして解釈すべきではない。むしろ、これらの実施形態は、本考案の開示が完全且つ徹底的であり、当業者に本考案の開示のコンセプトを十分に伝えるように提供されたものである。
【００２７】
図１は、本考案の典型的な一実施形態に係るコネクタ１００を示す斜視図である。図２は、図１のコネクタ１００の分解斜視図である。
【００２８】
図１及び図２に示されるように、コネクタ１００は主に、複数のコンタクト１１１〜１１９、絶縁本体１２０及びシールド１３０を具備する。
【００２９】
図２を参照すると、絶縁本体１２０に複数のコンタクトスロット１２１〜１２９が形成されている。図１を参照すると、複数のコンタクト１１１〜１１９は複数のコンタクトスロット１２１〜１２９にそれぞれ受容され、シールド１３０は絶縁本体１２０の外部を囲んでいる。
【００３０】
図１及び図２を再度参照すると、複数のコンタクト１１１〜１１９は、第１データ伝送標準信号を伝送するための第１コンタクト群１１３〜１１７と、第２データ伝送標準信号を伝送するための第２コンタクト群１１１，１１２，１１８，１１９とからなる。第２コンタクト群は、第１の差動信号コンタクト対１１１，１１２と、第２の差動信号コンタクト対１１８，１１９とからなる。
【００３１】
本考案の典型的な一実施形態において、コネクタ１００は、マイクロＵＳＢ（例えばマイクロＵＳＢ２．０）及びＵＳＢ３．０と互換性のある混合タイプのＵＳＢコネクタである。複数のコンタクト１１１〜１１９は、マイクロＵＳＢ用の５個のコンタクト１１３〜１１７及びＵＳＢ３．０用の４個のコンタクト１１１，１１２，１１８，１１９を具備する。
【００３２】
図１及び図２に示される典型的な一実施形態において、２個のコンタクト１１１，１１２は、ＵＳＢ３．０信号を伝送するための第１の差動信号コンタクト対１１１，１１２としての機能を果たす。そして、２個のコンタクト１１８，１１９は、ＵＳＢ３．０信号を伝送するための第２の差動信号コンタクト対１１８，１１９としての機能を果たす。
【００３３】
図１及び図２に示される典型的な一実施形態において、コンタクト１１３は、混合タイプのＵＳＢコネクタに電力を供給するための電力コンタクト１１３としての機能を果たす。２個のコンタクト１１４，１１５は、マイクロＵＳＢ信号を伝送するための第３の差動信号コンタクト対１１４，１１５としての機能を果たす。コンタクト１１６は、コネクタの作動状態を検出するための状態検出コンタクト１１６としての機能を果たす。コンタクト１１７は、接地コンタクト１１７としての機能を果たす。
【００３４】
図１及び図２に示されるように、複数のコンタクト１１１〜１１９は１列に配列され、第１の差動信号コンタクト対１１１，１１２及び第２の差動信号コンタクト対１１８，１１９は、第１コンタクト群１１３〜１１７の両側にそれぞれ配置される。
【００３５】
本考案において、ＵＳＢ３．０用の２対の差動信号コンタクトが従来のマイクロＵＳＢコネクタの最外両側にそれぞれ追加で配置されているので、ＵＳＢ３．０用の２対の差動信号コンタクト及び従来のマイクロＵＳＢコネクタの５個のコンタクトは、異なる２列に配列され絶縁本体の２個の異なるポートに配置される代わりに、同じ列に配列され絶縁本体の同じポートに配置される。従って、従来の混合タイプのＵＳＢコネクタと比べて、本考案の混合タイプのＵＳＢコネクタは、ＵＳＢ３．０コンタクト用の追加ポートを無くし、寸法を小さくしてコストを低減する。
【００３６】
さらに、ＵＳＢ３．０用の２対の差動信号コンタクトは比較的大電流を流すので、それらの対の間に相互干渉が生ずる傾向がある。相互干渉を効果的に防ぐために、本考案では、ＵＳＢ３．０用の２対の差動信号コンタクトは、１コンタクト列の最外両側にそれぞれ配置され且つ互いに最も離れて分離される。
【００３７】
図２に示されるように、第１コンタクト群の全てのコンタクト１１３〜１１７は第１長さとして定められたほぼ同じ長さを有し、第２コンタクト群の全てのコンタクト１１１，１１２，１１８，１１９は第１長さと異なる第２長さとして定められたほぼ同じ長さを有する。図２に図示された実施形態において、第１長さは第２長さより長い。すなわち、マイクロＵＳＢ用の５個のコンタクト１１３〜１１７の長さは、ＵＳＢ３．０用の２対の差動コンタクト１１１，１１２，１１８，１１９の長さより長い。
【００３８】
図３は、図１のコネクタ１００を示す斜視図である。ここで、シールド１３０は除去され、コンタクト１１１〜１１９上に絶縁本体１２０が成形され、互いに隣接する長いコンタクト１１３〜１１７間の架橋部１３４，１４５，１５６，１６７はまだ切断、除去されていない。図４は、図３のコネクタ１００を示す斜視図である。ここで、隣接する長いコンタクト１１３〜１１７間の架橋部１３４，１４５，１５６，１６７は切断され除去されている。
【００３９】
図３及び図４に示されるように、５個の長いコンタクト１１３〜１１７上に絶縁本体１２０を成形する際にこれら５個の長いコンタクト１１３〜１１７の位置の正確さを確保するために、隣接する長いコンタクト１１３〜１１７間に架橋部１３４，１４５，１５６，１６７が一体的に形成され、隣接する長いコンタクト１１３〜１１７を連結して５個の長いコンタクト１１３〜１１７の製造工程中に同じ相対位置を保持する。
【００４０】
さらに、図３に示されるように、架橋部１３４は互いに隣接する長いコンタクト１１３，１１４間に形成され、架橋部１４５は互いに隣接する長いコンタクト１１４，１１５間に形成され、架橋部１５６は互いに隣接する長いコンタクト１１５，１１６間に形成され、架橋部１６７は互いに隣接する長いコンタクト１１６，１１７間に形成される。
【００４１】
本考案の典型的な一実施形態において、図３に示されるように、架橋部１３４，１４５，１５６，１６７の周囲の領域１２１は、絶縁本体１２０により覆われる。
【００４２】
図３を再度参照すると、第１コンタクト群１１３〜１１７の各コンタクトは、絶縁本体１２０の外部に露出する接触部１１３ａ〜１１７ａと、絶縁本体１２０に覆われる非接触部とを具備する。図３に示されるように、第１コンタクト群１１３〜１１７の接触部１１３ａ〜１１７ａは、絶縁本体１２０の外部に露出して他の相手コネクタの各コンタクトと電気接触する。これについては後述する。
【００４３】
図３に示されるように、架橋部１３４，１４５，１５６，１６７は、第１コンタクト群１１３〜１１７の互いに隣接するコンタクトの非接触部間に形成される。このようにして、架橋部１３４，１４５，１５６，１６７は、第１コンタクト群１１３〜１１７の接触部から離れて分離される。
【００４４】
図４に示されるように、第１コンタクト群１１３〜１１７の非接触部に位置する絶縁本体１２０の一部には、架橋部１３４，１４５，１５６，１６７を露出する開口２３４，２４５，２５６，２６７が形成され、その結果、開口２３４，２４５，２５６，２６７を通して架橋部１３４，１４５，１５６，１６７を除去できる。架橋部１３４，１４５，１５６，１６７が除去された後、第１コンタクト群１１３〜１１７は互いに電気的に絶縁される。
【００４５】
図３及び図４に示される典型的な一実施形態において、架橋部１３４，１４５，１５６，１６７の周囲の領域１２１は絶縁本体１２０の絶縁材料に覆われて保護され、絶縁本体１２０の外部に露出する第１コンタクト群１１３〜１１７の接触部１１３ａ〜１１７ａは絶縁材料により架橋部１３４，１４５，１５６，１６７から離れて分離される。この結果、コンタクト１１１〜１１９の亜硝酸試験の際、腐食点は、架橋部１３４，１４５，１５６，１６７の切断により生ずる小さな切り口のみに形成され、架橋部１３４，１４５，１５６，１６７の周囲の絶縁材料による保護のため、コンタクト１１３〜１１７の接触部１１３ａ〜１１７ａに拡散できない。これにより、コンタクトの性能に対する悪影響が回避できる。
【００４６】
図３及び図４に示されるように、本考案の典型的な一実施形態において、隣接する架橋部１３４，１４５，１５６，１６７は、複数のコンタクト１１１〜１１９の長さ方向に沿って所定距離で千鳥配列される。
【００４７】
図３及び図４を参照すると、本考案の典型的な一実施形態において、複数のコンタクト１１１〜１１９の各々は、絶縁本体１２０の外部に露出し別の相手コネクタと電気接触する接触部１１１ａ〜１１９ａを具備する。そして、複数のコンタクト１１１〜１１９の全ての接触部１１１ａ〜１１９ａは、ほぼ同一平面内に配置される。
【００４８】
図５は、図１のコネクタ１００と嵌合する別のコネクタ２００を示す斜視図である。図６は、図５の別のコネクタ２００を示す斜視図である。ここで、シールド２３０が除去され、コンタクト２１１〜２１９は絶縁本体２２０に配置されるが、絶縁本体２２０に成形すなわち組み込まれていない。
【００４９】
図５及び図６に示されるように、コネクタ２００はプラグコネクタである。それに対応して、図１ないし図４に示されるコネクタ１００はリセプタクルコネクタである。すなわち、コネクタ２００は、コネクタ１００に挿入されてコネクタ１００に電気接続される。
【００５０】
図５及び図６に示されるように、相手コネクタ２００は主に、複数の相手コンタクト２１１〜２１９、絶縁本体２２０及びシールド２３０を具備する。コネクタ２００の複数の相手コンタクト２１１〜２１９は、コネクタ１００の複数のコンタクト１１１〜１１９にそれぞれ対応する。
【００５１】
図６を参照すると、複数の相手コンタクトスロット（不指示）は絶縁本体２００内に形成される。図５を参照すると、複数の相手コンタクト２１１〜２１９は複数のコンタクトスロットに受容され、シールド２３０は絶縁本体２２０の外部を囲んでいる。
【００５２】
図５及び図６を再度参照すると、複数の相手コンタクト２１１〜２１９は、第１データ伝送標準信号を伝送するための第１相手コンタクト群２１３〜２１７と、第２データ伝送標準信号を伝送するための第２相手コンタクト群２１１，２１２，２１８，２１９とからなる。第２相手コンタクト群２１１，２１２，２１８，２１９は、第１の差動信号相手コンタクト対２１１，２１２と、第２の差動信号相手コンタクト対２１８，２１９とからなる。
【００５３】
本考案の典型的な一実施形態において、コネクタ２００は、マイクロＵＳＢ（例えばマイクロＵＳＢ２．０）及びＵＳＢ３．０と互換性のある混合タイプのＵＳＢコネクタである。複数の相手コンタクト２１１〜２１９は、マイクロＵＳＢ用の５個のコンタクト２１３〜２１７及びＵＳＢ３．０用の４個のコンタクト２１１，２１２，２１８，２１９を具備する。
【００５４】
図５及び図６に示される典型的な一実施形態において、２個のコンタクト２１１，２１２は、ＵＳＢ３．０信号を伝送するための第１の差動信号相手コンタクト対２１１，２１２としての機能を果たす。そして、２個のコンタクト２１８，２１９は、ＵＳＢ３．０信号を伝送するための第２の差動信号相手コンタクト対２１８，２１９としての機能を果たす。
【００５５】
図５及び図６に示される典型的な一実施形態において、コンタクト２１３は、混合タイプのＵＳＢコネクタ２００に電力を供給するための電力コンタクト２１３としての機能を果たす。２個のコンタクト２１４，２１５は、マイクロＵＳＢ信号を伝送するための第３の差動信号相手コンタクト対２１４，２１５としての機能を果たす。コンタクト２１６は、コネクタ２００の使用状態を検出するための状態検出コンタクト２１６としての機能を果たす。コンタクト２１７は、接地コンタクト２１７としての機能を果たす。
【００５６】
図５及び図６に示されるように、複数の相手コンタクト２１１〜２１９は１列に配列され、第１の差動信号相手コンタクト対２１１，２１２及び第２の差動信号相手コンタクト対２１８，２１９は、第１相手コンタクト群２１３〜２１７の両側にそれぞれ配置される。
【００５７】
図６に示されるように、複数の相手コンタクト２１１〜２１９のうちの第１及び第２の差動信号相手コンタクト２１１，２１２，２１８，２１９の長さは、複数の相手コンタクト２１１〜２１９のうちの他のコンタクト２１３〜２１７の長さより長い。すなわち、マイクロＵＳＢ用の５個の相手コンタクトの長さは、ＵＳＢ３．０用の２対の差動信号相手コンタクト２１１，２１２，２１８，２１９の長さより短い。
【００５８】
上述の説明は例示を目的としたものであって、限定を目的とするものではないことを理解されたい。例えば、上述の実施形態（及びその側面）は、互いに組み合わせて用いられてもよい。さらに、本考案の範囲を逸脱することなく、本考案の開示に特定の状況や材料を適用して多くの変更を加えてもよい。
【００５９】
いくつかの実施形態を図示し且つ説明したが、当業者であれば、実用新案登録請求の範囲に定義された範囲及びその等価物である本開示の原理及び真髄から逸脱することなく、これらの実施形態に種々の変更、変形を加えてもよいことを理解するであろう。
【００６０】
本明細書で用いられているように、単数で謳われた要素又は工程は、例外が明記されない限り、複数の要素又は工程を排除しないものと理解すべきである。さらに、本考案の「一実施形態」は、謳われた特徴を内包する追加の実施形態の存在を排除するものと解釈することを意図していない。また、逆について明記されない限り、特定の性質を有する単数又は複数の要素を「具備する」又は「有する」実施形態は、その性質を有しない追加のそのような要素を含んでもよい。
【符号の説明】
【００６１】
１１１，１１２                  第１の差動信号コンタクト対（コンタクト）
１１１ａ〜１１９ａ              接触部
１１３                          電力コンタクト（コンタクト）
１１４，１１５                  第３の差動信号コンタクト（コンタクト）
１１６                          状態検出コンタクト（コンタクト）
１１７                          接地コンタクト（コンタクト）
１１８，１１９                  第２の差動信号コンタクト対（コンタクト）
１２０                          絶縁本体
１２１〜１２９                  コンタクトスロット
１３０                          シールド
１３４，１４５，１５６，１６７  架橋部
２００                          相手コネクタ
２１１，２１２                  第１の差動信号相手コンタクト対（相手コンタクト）
２１３〜２１７                  第１相手コンタクト群（相手コンタクト）
２１８，２１９                  第２の差動信号相手コンタクト対（相手コンタクト）
２３４，２４５，２５６，２６７  開口
【図１】
0003186808.tif 000003
【図２】
0003186808.tif 000004
【図３】
0003186808.tif 000005
【図４】
0003186808.tif 000006
【図５】
0003186808.tif 000007
【図６】
0003186808.tif 000008